(57)【要約】      （修正有）【課題】ＬＥＤによる光の広がりを実現し、照度も大きくなる様反射板の形状を工夫したＬＥＤ照明管を提供する。【解決手段】ＬＥＤ照明管は、平板状の放熱板５ａと、該放熱板の長手方向における片側面に取り付けられるＬＥＤ発光体Ａと、該ＬＥＤ発光体Ａをカバーして前記放熱板の長手方向の長さとほぼ同じ長さの透明又は半透明のカバー体７と、前記放熱板５ａおよびＬＥＤ発光体Ａの長手方向の端部にキャップとを有する。前記ＬＥＤ発光体ＡはＮ枚（Ｎ≧３：自然数）用意され、このＬＥＤ発光体Ａの構成要素であるプリント基板５の長手方向に沿った両端部を互いに当接させてＮ角形の筒体に形成されているＬＥＤ照明管１とする。【選択図】図１
0003164747.tif 000002
【実用新案登録請求の範囲】
【請求項１】
ＬＥＤ照明管は、
平板状の放熱板と、該放熱板の長手方向における片側面に取り付けられるＬＥＤ発光体と、該ＬＥＤ発光体をカバーして前記放熱板の長手方向の長さとほぼ同じ長さの透明又は半透明のカバー体と、前記放熱板およびＬＥＤ発光体の長手方向の端部にキャップとを有してなり、
前記ＬＥＤ発光体はＮ枚（Ｎ≧３：自然数）用意され、このＬＥＤ発光体の構成要素であるプリント基板の長手方向に沿った両端部を互いに当接させてＮ角形の筒体に形成されていること、
を特徴とするＬＥＤ照明管。
【請求項２】
ＬＥＤ照明管は、
平板状の放熱板と、該放熱板に取り付けられるＬＥＤ発光体と、該ＬＥＤ発光体をカバーして前記放熱板の長手方向の長さとほぼ同じ長さの透明又は半透明のカバー体と、前記放熱板およびＬＥＤ発光体の長手方向の端部にキャップとを有してなり、前記ＬＥＤ発光体は２枚用意され、前記放熱板の表裏にそれぞれ固定して設けられていること、
を特徴とするＬＥＤ照明管。
【請求項３】
請求項１に記載のＬＥＤ照明管または請求項２に記載のＬＥＤ照明管のうちのいずれかのＬＥＤ照明管に、該ＬＥＤ照明管の略半周を覆う反射板が設けられてなること、
を特徴とするＬＥＤ照明灯。
【請求項４】
請求項２に記載のＬＥＤ照明管に、該ＬＥＤ照明管の略半周を覆う反射板が設けられるとともに、放熱板の表裏面が照射方向に平行に配設されてなること、
を特徴とするＬＥＤ照明灯。
【考案の詳細な説明】
【技術分野】
【０００１】
本考案は、細長板状体の基板に複数のＬＥＤ（発光ダイオード：Light Emitting Diode、以下同じ）が並設されたＬＥＤ照明灯およびその照明灯に使用するＬＥＤ照明管に関するものである。
【背景技術】
【０００２】
従来、ＬＥＤ照明灯は、ＬＥＤモジュールを利用して使用寿命を大幅に伸ばし、経済性を高め、更に、従来の照明灯の両側ソケットをそのまま使用できるようにし、発熱量を減らして効率を高め放熱効率も高めたものが知られている（特許文献１参照）。また、既存の照明灯照明器具にソケットの没入端面部の直径サイズに対応できるようにした端子部構造を有するものが知られている（特許文献２参照）。
【先行技術文献】
【特許文献】
【０００３】
【特許文献１】特開２０１０−９２９９０号公報
【特許文献２】実用新案登録第３１４２６５２号公報
【考案の概要】
【考案が解決しようとする課題】
【０００４】
しかし、従来のＬＥＤ照明灯は、図６に示すように、細長板状のプリント基板５に実装されたＬＥＤ４を単に半円筒のベース８に取り付けて、下方向に照射させているだけである。ＬＥＤ４の発熱に対しても、前記ベース８の内側長手方向に放熱用のフィンを形成しているに過ぎないものである。
【０００５】
本考案に係るＬＥＤ照明灯とＬＥＤ照明管は、ＬＥＤによる光の広がりを実現し、照度も大きくなるように反射板形状を考慮して、このような課題を解決するために提案されたものである。
【課題を解決するための手段】
【０００６】
本考案に係るＬＥＤ照明管の上記課題を解決して目的を達成するための要旨は、ＬＥＤ照明管は、平板状の放熱板と、該放熱板の長手方向における片側面に取り付けられるＬＥＤ発光体と、該ＬＥＤ発光体をカバーして前記放熱板の長手方向の長さとほぼ同じ長さの透明又は半透明のカバー体と、前記放熱板およびＬＥＤ発光体の長手方向の端部にキャップとを有してなり、前記ＬＥＤ発光体はＮ枚（Ｎ≧３：自然数）用意され、このＬＥＤ発光体の構成要素であるプリント基板の長手方向に沿った両端部を互いに当接させてＮ角形の筒体に形成されていることである。
【０００７】
本考案に係るＬＥＤ照明管の上記課題を解決して目的を達成するための要旨は、ＬＥＤ照明管は、平板状の放熱板と、該放熱板の長手方向における片側面に取り付けられるＬＥＤ発光体と、該ＬＥＤ発光体をカバーして前記放熱板の長手方向の長さとほぼ同じ長さの透明又は半透明のカバー体と、前記放熱板およびＬＥＤ発光体の長手方向の端部にキャップとを有してなり、前記ＬＥＤ発光体は２枚用意され、前記放熱板の表裏にそれぞれ固定して設けられていることである。
【０００８】
本考案に係るＬＥＤ照明灯の上記課題を解決して目的を達成するための要旨は、上記ＬＥＤ照明管のうちのいずれかのＬＥＤ照明管に、該ＬＥＤ照明管の略半周を覆う反射板が設けられてなることである。
【０００９】
本考案に係るＬＥＤ照明灯の上記課題を解決して目的を達成するための要旨は、上記２枚のＬＥＤ発光体を放熱板の表裏面に取り付けたＬＥＤ照明管に、該ＬＥＤ照明管の略半周を覆う反射板が設けられるとともに、放熱板の表裏面が照射方向に平行に配設されてなることである。
【考案の効果】
【００１０】
本考案のＬＥＤ照明管と、それを使用するＬＥＤ照明灯によれば、Ｎ角形の筒体にして照明を行うので、照度が増大する。更に反射板を備えることで照度を向上させることができる。また、カバー体には照明管の内部の熱を外に逃がす放熱孔が設けられて、放熱するようになっていて熱がこもるのを防止している。
【図面の簡単な説明】
【００１１】
【図１】本考案に係るＬＥＤ照明灯１で六角形の筒体にしたＬＥＤ照明管２の場合の断面図である。
【図２】同本考案のＬＥＤ照明灯１に係るＬＥＤ照明管２の一端部側の斜視図である。
【図３】同本考案に係るＬＥＤ照明灯１ａで八角形の筒体にした実施例のＬＥＤ照明管２ａの場合の断面図である。
【図４】同本考案に係るＬＥＤ照明灯１ｂで三角形の筒体にした実施例のＬＥＤ照明管２ｂの場合の断面図（Ａ）と、ＬＥＤ照明灯１ｃで四角形の筒体にした実施例のＬＥＤ照明管２ｃの場合の断面図（Ｂ）である。
【図５】同本考案に係るＬＥＤ照明灯１ｄで放熱板の表裏面にＬＥＤ発光体を取り付けた実施例のＬＥＤ照明管２ｄとした場合の断面図（Ａ）と、ＬＥＤ照明灯１ｅで放熱板及びＬＥＤ発光体を水平にした実施例のＬＥＤ照明管２ｅとした場合の断面図（Ｂ）である。
【図６】従来例に係るＬＥＤ照明管１０の分解組立斜視図である。
【考案を実施するための形態】
【００１２】
本考案に係るＬＥＤ照明灯と、その照明灯に使用するＬＥＤ照明管は、図１に示すように、ＬＥＤ４を実装したプリント基板５を、Ｎ角形（Ｎ≧３：自然数）の筒体にして、若しくは、２枚にして照明灯の照度を向上させたものである。
【実施例１】
【００１３】
本考案に係るＬＥＤ照明灯１と、それに使用するＬＥＤ照明管２について説明する。図１に示すように、前記ＬＥＤ照明管２は、所望幅で細長い平板状でアルミニウム製の放熱板５ａと、該放熱板５ａの長手方向における片側面に取り付けられるＬＥＤ発光体Ａと、該ＬＥＤ発光体Ａをカバーして前記放熱板５ａの長手方向の長さとほぼ同じ長さの透明又は半透明のカバー体７と、前記放熱板５ａおよびＬＥＤ発光体Ａの長手方向の端部に端子６ａを有して取り付けられるキャップ６（図２参照）及び装着用キャップ６ｂ（図６参照）と、電源９（図６参照）とを有してなる。なお、電源９は、照明管の外に置くこともある。
【００１４】
前記ＬＥＤ発光体Ａは、ＬＥＤ４とこれを実装するプリント基板５とで構成される。前記ＬＥＤ４は、プリント基板５の長手方向に一列、若しくは、２列に配設されている。ＬＥＤ４を２列に配設する場合には、千鳥配置にすることもある。そして、このＬＥＤ発光体ＡがＮ枚（Ｎ≧３：自然数）用意され、この実施例１では６枚であり、このＬＥＤ発光体Ａの構成要素であるプリント基板５の長手方向に沿った両端部（短手方向の両端部）５ｂを、隣接するＬＥＤ発光体Ａ同士が互いに当接させてＮ（＝６）角形の筒体に形成されている。
【００１５】
前記ＬＥＤ発光体Ａの筒体を形成するに際しては、この筒体の長手方向において複数箇所に筒形状を維持する六角形状のスペーサなどを介装させ、長手方向の筒体両端部でキャップ６，装着用キャップ６ｂ（図６参照）の内側でプリント基板５及び放熱板５ａを連結して固定することにより、筒体を形成するものである。更に、前記ＬＥＤ照明管２に、該ＬＥＤ照明管２の略半周を覆う、例えばアルミ合金製の反射板３が設けられ、この反射板３を外カバー３ａで支持させて、ＬＥＤ照明灯１が構成される。
【００１６】
前記カバー体７は、図１に示すように、上部側に、放熱用の放熱孔７ａが一例として３カ所に設けられている。このようにして構成されるＬＥＤ照明灯１によれば、Ｎ（＝６）枚のＬＥＤ発光体Ａにより照度が大きく向上し、上部のＬＥＤ発光体Ａの光も反射板３によって下方向に全反射されて、照度を高めるのに貢献する。
【実施例２】
【００１７】
本考案に係るＬＥＤ照明管２ａは、図３に示すように、ＬＥＤ発光体Ａを八角形の筒体にしたものである。また、放熱板5aは、プリント基板５にそれぞれ平板状の放熱板を設けるのではなく、八角形状に一体にして、引き抜きにより製作するものである。このような構造のＬＥＤ照明管２ａにすれば、前記放熱板５ａが一体物であるので強度が増して、丈夫な照明管となる。他の構造は実施例１と同じである。このＬＥＤ照明灯１ａの硬化も実施例と同様であり、説明を省略する。
【実施例３】
【００１８】
本考案に係るＬＥＤ照明管２ｂは、図４（Ａ）に示すように、ＬＥＤ発光体Ａを三角形の筒体にしたものである。放熱板５ａは、平板体にして各プリント基板５に固定するが、もちろん、三角形状の一体物であっても良い。なお、三角形の筒体の配置において、図示するように、三角形の頂点が上の場合と、それとは逆に図示してないが下に配置した場合とがある。照度を更に向上させることができる。他は、上記実施例１と同じであり、説明を省略する。更に、図４（Ｂ）に示すように、ＬＥＤ照明管２ｃとして、ＬＥＤ発光体Ａの筒体を四角形状にする場合もある。なお、図示していないが、ＬＥＤ発光体Ａの数をＮ＝５枚として、５角形の筒体にしたＬＥＤ照明管にしても良い。前記四角形の筒体の場合にも、図４（Ｂ）に示すように平坦部を下にする場合と、図示してないが、対角線を上下方向にして角部を下にする場合がある。この場合も照度が向上するものである。なお、図１又は図３に示す六角形や八角形の場合も、対角線を上下方向にして配置することがある。それぞれ、照度が更に向上するからである。
【実施例４】
【００１９】
本考案に係るＬＥＤ照明管２ｄは、図５（Ａ）に示すように、平板状の放熱板５ａと、該放熱板５ａの長手方向における片側面に取り付けられるＬＥＤ発光体Ａと、該ＬＥＤ発光体Ａをカバーして前記放熱板５ａの長手方向の長さとほぼ同じ長さの透明又は半透明のカバー体７と、前記放熱板５ａおよびＬＥＤ発光体Ａの長手方向の端部にＬＥＤ電源用端子を有して取り付けられるキャップ６，装着用キャップ６ｂとを有してなる。そして、前記放熱板ＬＥＤ発光体Ａは２枚用意され、前記放熱板５ａの表裏にそれぞれ固定して設けられている。また、前記ＬＥＤ照明管２ｄに、該ＬＥＤ照明管２ｄの略半周を覆う反射板３が設けられて、ＬＥＤ照明灯１ｄが構成されている。
【００２０】
前記ＬＥＤ照明管２ｄにおいて、放熱板５ａの表裏面が照射方向に沿って平行に配設されている。この場合、放熱板５ａは、図示のように一枚の平板状体であって、シンプルな構成で低コストの製作費としているが、これに限らず、２枚の平板体で放熱板として、これを間隙を有して平行に配設して、その間隙にスペーサなどを長手方向に適宜間隔毎に介在させて構成し、放熱効果を高めるようにしても良い。
【００２１】
図５（Ｂ）に示すＬＥＤ照明灯１ｅは、上記ＬＥＤ照明管２ｄのＬＥＤ発光体Ａを、照明方向に対して直交するように配置してなるＬＥＤ照明管２ｅとして、構成したものである。このような実施例でも、反射板３によって照度を高めて使用できるものである。
【産業上の利用可能性】
【００２２】
本考案に係るＬＥＤ照明灯とそれに使用するＬＥＤ照明管は、従来の既設の蛍光灯などに代わって使用することができるものである。
【符号の説明】
【００２３】
１          ＬＥＤ照明灯、
１ａ，１ｂ，１ｃ，１ｄ，１ｅ              他の実施例のＬＥＤ照明灯、
２          ＬＥＤ照明管、
２ａ，２ｂ，２ｃ，２ｄ，２ｅ              他の実施例のＬＥＤ照明管、
３          反射板、                      ３ａ        外カバー、
４          ＬＥＤ、                
５          プリント基板、                ５ａ        放熱板、
６          キャップ、                    ６ａ        端子、
６ｂ        装着用キャップ、
７          カバー体、                    ７ａ        放熱孔、
８          ベース、
９          電源、
１０        従来のＬＥＤ照明管。
【図１】
0003164747.tif 000003
【図２】
0003164747.tif 000004
【図３】
0003164747.tif 000005
【図４】
0003164747.tif 000006
【図５】
0003164747.tif 000007
【図６】
0003164747.tif 000008